(57)【要約】      （修正有）【課題】かご操作盤に戸開釦とは操作方向を異にする戸閉釦を配置することにより、安全性の向上したエレベーターの戸開閉釦装置を得る。【解決手段】エレベーターのかご操作盤に設けられ、戸を開らくための戸開釦４と、戸を閉じるための戸閉釦５とを備えたエレベーターのかご戸開閉釦装置において、戸開釦は、操作部がかご操作盤の表面と直交する方向に移動して動作する押し釦とし、戸閉釦は、操作部がかご操作盤の表面に沿って移動して動作するスライド釦とするものである。【選択図】図２
2007186287.tif 000002
【特許請求の範囲】
【請求項１】
エレベーターのかご操作盤に設けられ、戸を開らくための戸開釦と、戸を閉じるための戸閉釦とを備えたエレベーターのかご戸開閉釦装置において、
前記戸開釦は、操作部が前記かご操作盤の表面と直交する方向に移動して動作する押し釦とし、
前記戸閉釦は、操作部が前記かご操作盤の表面に沿って移動して動作するスライド釦としたこと、
を特徴とするエレベーターのかご戸開閉釦装置。
【請求項２】
前記戸閉釦は、前記操作部が前記かご操作盤の表面に沿って上下左右の四方向の何れか一方に移動して動作することを特徴とする請求項１に記載のエレベーターのかご戸開閉釦装置。
【請求項３】
前記戸閉釦は、前記操作部が前記かご操作盤の表面に沿って上下方向または左右方向に移動して動作することを特徴とする請求項１に記載のエレベーターのかご戸開閉釦装置。
【請求項４】
前記戸閉釦の近傍に、該戸閉釦の操作方向を示す表示部を備えたことを特徴とする請求項１乃至請求項３のいずれかに記載のエレベーターのかご戸開閉釦装置。
【発明の詳細な説明】
【技術分野】
【０００１】
この発明は、エレベーターのかご操作盤に設けられるエレベーターの戸開閉釦装置に関するものである。
【背景技術】
【０００２】
一般に、エレベーターのかご操作盤には、閉じつつある戸を反転させて開いたり、開いた状態を保持する戸開釦と、戸が閉まるのを促進させる戸閉釦が隣り合う位置に設けられており、戸開釦には「開」または戸開を示す記号が、戸閉釦には「閉」または戸閉を示す記号が付されている。乗客は必要に応じて各釦に付されている上記表示を見て各釦を操作するようになっている。このため、例えば先に乗っていた乗客がエレベーターに乗ろうとしている人を発見し、戸が開いた状態を保持するため戸開釦を操作しようと間違えて戸閉釦を操作し、戸が閉まってしまうということが多々発生している。
【０００３】
このような従来の問題を解決するため、戸を開くための戸開釦と戸を閉じるため戸閉釦が取り付けられたかご操作盤において、戸閉釦の操作部を取り囲むように戸開釦の操作部を配置することにより、戸開釦の操作を容易にして緊急時でも的確に戸開釦を操作できるようにすると共に、戸開釦で取り囲んだことによって戸閉釦の操作に当っては戸開釦を押圧しないように注意を必要とし、この注意喚起によって安易な操作を防止するようにしたエレベーターの戸開閉釦装置が提案されている（例えば、特許文献１参照）。
【０００４】
【特許文献１】特開２００３−３０６２８３号公報（第１頁、第１図）
【発明の開示】
【発明が解決しようとする課題】
【０００５】
しかしながら、従来のエレベーターの戸開閉釦装置は、戸開釦、戸閉釦ともにかご操作盤の表面と直交する方向に押圧されて動作する押し釦であったため、乗客が戸開釦を押そうと急ぐあまりに間違えて戸閉釦を押した場合、戸閉釦が動作し戸が閉まるという問題があった。
【０００６】
この発明は、上述のような課題を解決するためになされたもので、かご操作盤に戸開釦とは操作方向を異にする戸閉釦を配置することにより、安全性の向上したエレベーターの戸開閉釦装置を得るものである。
【課題を解決するための手段】
【０００７】
この発明に係るエレベーターの戸開閉釦装置は、エレベーターのかご操作盤に設けられ、戸を開らくための戸開釦と、戸を閉じるための戸閉釦とを備えたエレベーターのかご戸開閉釦装置において、戸開釦は、操作部がかご操作盤の表面と直交する方向に移動して動作する押し釦とし、戸閉釦は、操作部がかご操作盤の表面に沿って移動して動作するスライド釦とするものである。
【発明の効果】
【０００８】
この発明によれば、戸開釦を押し釦とし、戸閉釦をスライド釦として、双方の操作方向を相異する操作方向としたので、戸が開いた状態を保持したいときに戸開釦を押そうと間違えて戸閉釦を押したとしても動作しないため安全性が向上する。
【発明を実施するための最良の形態】
【０００９】
以下、この発明を実施するための最良の形態について、図面を参照して説明する。
実施の形態１．
図１は、本発明の実施の形態１を示すかご操作盤の正面図である。図２は、図１のＡ部の詳細図である。図３は、図２のＩＩＩ−ＩＩＩ線に沿う断面図である。
図において、一般にエレベーターのかご（図示せず）内の出入口付近の側壁に設けられるかご操作盤１の本体であるフェースプレート２には、行き先を指定するため各行き先に対応して設けられた複数の行き先釦３と、閉じつつある戸（図示せず）を反転させて開いたり、戸が閉じ始めるのを阻止するための戸開釦４と、開いている戸が閉じ始めるのを促進させる戸閉釦５等が設けられている。
【００１０】
戸開釦４は、操作部である釦体６がフェースプレート２の表面２ａと直交する方向へ押圧されて動作する押し釦であり、釦体６の釦頭部６ａの表面に、「開」（戸開釦であることを示す記号でもよい）の文字が付された文字板７が固着されている。また、戸開釦４は、戸閉回路（図示せず）に接続された固定接点（図示せず）と可動接点（図示せず）を備えている。これら固定接点と可動接点は常時短絡されており、釦体６がフェースプレート２の表面２ａから直交する方向へ押圧されて移動されることによって開放される。
【００１１】
戸閉釦５は、操作部である釦体８がフェースプレート２の表面２ａに沿って上方向に移動されて動作するスライド釦である。釦体８の釦頭部８ａの表面に、「閉」（戸開釦であることを示す記号でもよい）の文字が付された文字板９が固着されている。
【００１２】
釦体８は、フェースプレート２の戸開釦４と近隣する位置に形成された縦に長い凹状の釦体孔２ｂに、この釦体孔２ｂの前面にフェースプレート２を貫通して形成された縦に長い矩形状の釦孔２ｃから釦頭部８ａを突出して配設され、フェースプレート２にビス（
図示せず）及びナット（図示せず）等により締結される釦体保持具１０によって保持されている。このとき、釦体孔２ｂの上端部と釦体８の上端部、及び釦孔２ｂの上端部と釦頭部８ａの上端部との間には釦体が上方移動するための空隙がそれぞれ形成される。また、釦体孔２ｂの上端部と釦体８の上端部との空隙には、上方に移動された釦体８を下方に移動させるためのバネ１１が配設されている。
【００１３】
釦体孔２ｂの上端部には一対の固定接点１２が固設されており、戸閉回路（図示せず）に接続されている。釦体８の上端部には釦体８が上方向に移動されることによって一対の固定接点１２を電気的に短絡する可動接点１３が取り付けられている。これら一対の固定接点１２と可動接点１３は、戸閉回路（図示せず）の常開接点１２、１３を構成している
。
【００１４】
また、戸閉釦５に近傍するフェースプレート２の表面２ａには、戸閉釦５の操作方向を示すための矢印等の表示が付された表示板１４が固着されている。なお、この表示板１４はフェースプレート２に一体成形されたものであってもよい。
【００１５】
次に、動作について説明する。閉じつつある戸を反転させて開いたり、開いた状態を保持するには、戸開釦４を操作する。戸開釦４は、釦体６をフェースプレート２の表面２ａに直交する方向に押圧すると、固定接点（図示せず）と可動接点（図示せず）によって構成される常閉接点が開放される。これにより、戸閉回路（図示せず）が遮断されて戸を開かせる。
【００１６】
エレベーターの戸は通常、開いてから一定時間の開放状態が保持された後、閉じ始めるようになっている。上記一定時間の経過の前に戸閉を開始させるためには、戸閉釦５を操作する。釦体８を表示板１４の示す上方向に向けて移動させると、固定接点１２と可動接点１３が短絡され、常開接点１２、１３が閉成される。これにより、戸閉回路（図示せず）が付勢されて戸が閉じ始める。
【００１７】
上述のように、本発明の実施の形態１によれば、戸開釦はフェースプレートの表面と直交する方向に押圧して動作する押し釦とし、戸閉釦はフェースプレートの表面に沿った上方向に移動させることにより動作するスライド釦とし、双方の操作方向を相異する操作方向としたので、戸を開きたいときに戸開釦と間違えて戸閉釦を押圧したとしても動作しないため安全性が向上する。
【００１８】
なお、この実施の形態１では戸閉釦の操作方向を上方向としたが、これに限定するものではなく、下方向、又は左方向、又は右方向に移動して操作され動作する戸閉釦であっても同様の効果を得ることができる。
【００１９】
実施の形態２．
図４は、本発明の実施の形態２を示すかご操作盤の正面図である。図５は、図４のＢ部の詳細図である。図６は、図５のＶＩ−ＶＩ線に沿う断面図である。図中、図１乃至図３と同符号は同一部分又は同一内容を示し説明は省略する。
図において、戸閉釦５が配設された戸閉釦プレート１５は、フェースプレート２の戸開釦４と近隣する位置に正方状に貫通して形成された戸閉釦プレート取付孔２ｄに嵌合され
、ビス（図示せず）及びナット（図示せず）等により締結されている。戸閉釦５に近傍する戸閉釦プレート１５の表面１５ａには、戸閉釦５の操作方向を示すための矢印等の表示が付された表示板１６（戸閉釦プレート１５に一体成形されたものであってもよい）が固着されている。
【００２０】
戸閉釦５は、操作部である釦体８がフェースプレート２の表面２ａに沿って上方向または下方向に移動されることにより動作するスライド釦である。釦体８の釦頭部８ａの表面に、「閉」（戸開釦であることを示す記号でもよい）の文字が付された文字板９が釦頭部８ａに設けられた保持具（図示せず）によって脱着が可能なように取り付けられている。
【００２１】
釦体８は、戸閉釦プレート１５に形成された縦に長い凹状の釦体孔１５ｂに、この釦体孔１５ｂの前面に戸閉釦プレート１５を貫通して形成された縦に長い矩形状の釦孔１５ｃから釦頭部８ａを突出して配設され、戸閉釦プレート１５にビス（図示せず）及びナット（図示せず）等により締結される釦体保持具１７によって保持されている。このとき、釦体孔１５ｂの上端部と釦体８の上端部、及び釦体孔１５ｂの下端部と釦体８の下端部、また、釦孔１５ｃの上端部と釦頭部８ａの上端部、及び釦孔１５ｃの下端部と釦頭部８ａの下端部との間には、釦体が上方移動、又は下方移動するための空隙がそれぞれ形成されている。
【００２２】
釦体孔１５ｂの上端部と釦体８の上端、及び釦体孔１５ｂの下端部と釦体８の下端部との各空隙には上方、又は下方に移動された釦体８を後退移動させるためにバネ１１がそれぞれ配設されている。釦体８は、常時このバネ１１の付勢によって釦孔１５ｃの中心に釦頭部８ａが位置する中立位置に保持されている。
【００２３】
釦体孔１５ｂの上端部と下端部にはそれぞれ一対の固定接点１２が固設されており、電線（図示せず）によって戸閉回路（図示せず）に接続されている。釦体８の上端部と下端部には、釦体８が上方向、又は下方向に移動されることによって一対の固定接点１２を電気的に短絡する可動接点１３がそれぞれ取り付けられている。これら一対の固定接点１２と可動接点１３は、戸閉回路（図示せず）の常開接点１２、１３を構成し、各常開接点１２、１３は電気的に並列に接続されている。
【００２４】
次に、動作について説明する。戸を閉めたいときは戸閉釦５を操作する。釦体８を表示板１４の示す上方向または下方向に向けて移動させると、固定接点１２と可動接点１３が閉成される。各常開接点１２、１３は並列に接続されているので、その何れかが閉成すれば、戸閉回路（図示せず）は付勢されて戸が閉まる。
【００２５】
また、フェースプレート２の戸閉釦プレート孔２ｄに嵌合させて取り付けられた戸閉釦プレート１５を取り外し、例えば、図４の位置から左に９０度回転して取り付けると、戸閉釦５の操作方向が左右方向となる。なお、文字板９の「閉」の表示が横向きとなるため文字板９を釦頭部８ａより取り外して左に９０度回転して取り付ける。
【００２６】
上述のように、本発明の実施の形態２によれば、戸開釦はフェースプレートの表面と直交する方向に押圧して動作する押し釦とし、戸閉釦はフェースプレートの表面に沿った上下方向または左右方向に移動させることにより動作するスライド釦とし、双方の操作方向を相異する操作方向としたので、戸を開きたいときに戸開釦と間違えて戸閉釦を押圧したとしても動作しないため安全性が向上する。
【００２７】
また、戸閉釦を備えた戸閉釦プレートをフェースプレートに嵌合して取り付けているので、戸閉釦の操作方向が容易に変更でき、戸閉釦の操作方向に応じてフェースプレートを加工する必要がなく製造コストを低減することができる。
【００２８】
なお、この実施の形態２では戸閉釦の操作方向を上下方向としたが、これに限定するものではなく、実施の形態１で示したような操作方向が一方向に移動して操作され動作する戸閉釦であっても、戸閉釦プレートを９０度、１８０度、２７０度回転して取り付けることにより、操作方向を上下左右の何れかに容易に変更することができる。
【００２９】
また、実施の形態１及び２において文字板の表面は平面構造としたが、文字板の表面に凸部、又は凹部、又は傾斜を設けることによって操作性が向上することは言うまでもない
。
【図面の簡単な説明】
【００３０】
【図１】本発明の実施の形態１を示すかご操作盤の正面図である。
【図２】図１のＡ部の詳細図である。
【図３】図２のＩＩＩ−ＩＩＩ線における断面図である。
【図４】本発明の実施の形態２を示すかご操作盤の正面図である。
【図５】図４のＢ部の詳細図である。
【図６】図５のＶＩ−ＶＩ線における断面図である。
【符号の説明】
【００３１】
１  かご操作盤、２  フェースプレート、２ａ  表面、４  戸開釦、５  戸閉釦、６  釦体、８  釦体。
【図１】
2007186287.tif 000003
【図２】
2007186287.tif 000004
【図３】
2007186287.tif 000005
【図４】
2007186287.tif 000006
【図５】
2007186287.tif 000007
【図６】
2007186287.tif 000008